(57)【要約】      （修正有）【課題】温熱作用により座骨神経痛の痛みを緩和するために使用される改良された携帯型血行促進パッドを提供する。【解決手段】片手で自由に持ち歩くことができかつ棒状中空部２を有する所定長の軟質袋体１と、この軟質袋体１の棒状中空部２に内装された弾性の棒状発熱体と、この棒状発熱体に接続せれ、かつ、自由端部に差し込みプラグを有する電源コード４と、前記軟質袋体１又は前記電源コード４のいずれかに設けられた温度調節手段６とを備えた携帯型血行促進パッドＸであって、棒状発熱体は、長手方向と直交する断面形状が、円形、楕円形、半円形、多角形のいずれかである弾性棒体と、この弾性棒体の周胴部に巻き付けるように装着され、かつ、弾性変位可能な発熱部材を備えている。【選択図】図１
2020044280.tif 000002
【特許請求の範囲】
【請求項１】
片手で自由に持ち歩くことができかつ棒状中空部を有する所定長の軟質袋体と、この軟質袋体の棒状中空部に内装された弾性の棒状発熱体と、この棒状発熱体に接続せれ、かつ、自由端部に差し込みプラグを有する電源コードと、前記軟質袋体又は前記電源コードのいずれかに設けられた温度調節手段とを備えた携帯型血行促進パッドであって、前記棒状発熱体は、長手方向と直交する断面形状が、円形、楕円形、半円形、多角形のいずれかである弾性棒体と、この弾性棒体の周胴部に巻き付けるように装着され、かつ、弾性変位可能な発熱部材とを備えている携帯型血行促進パッド。
【請求項２】
請求項１の携帯型血行促進パッドに於いて、前記軟質袋体は、皮革又は合成皮革のいずれかであると共に、棒状発熱体は、少なくとも弾性変位及び弾性復帰可能な弾性棒体と、金属発熱部材と共に軟質のシート状ゴム又は弾性変形可能なシート状シリコンのいずれかである絶縁弾性体を含むことを特徴とする携帯型血行促進パッド。
【請求項３】
請求項１の携帯型血行促進パッドに於いて、前記棒状発熱体は、少なくとも弾性変位及び弾性復帰可能な弾性棒体、この弾性棒体の周胴面を包む発熱部材とから成り、前記発熱部材は、少なとも略矩形状の耐熱絶縁板と、この耐熱絶縁板の一側上面に設けられた導電体とを有することを特徴とする携帯型血行促進パッド。
【請求項４】
請求項１の携帯型血行促進パッドに於いて、前記棒状発熱体は、弾性変位及び弾性復帰可能な弾性棒体、この弾性棒体の周胴面を包む発熱部材とから成り、前記発熱部材は、少なとも一側面に一端部から他端部にかけて蛇行状、又は螺旋状、あるいは又マトリックス状のいずれかに設けられた導電体とを有することを特徴とする携帯型血行促進パッド。
【請求項５】
請求項１の携帯型血行促進パッドに於いて、前記棒状発熱体は、弾性変位及び弾性復帰可能な弾性棒体、この弾性棒体の周胴面を包む発熱部材とから成り、前記発熱部材は、一側上面に形成された帯状凹所を有する略矩形状の耐熱絶縁板と、前記帯状凹所に略収まるように嵌め込まれ、かつ、折り曲げ可能な帯状の導電体とを有することを特徴とする携帯型血行促進パッド。
【請求項６】
請求項１の携帯型血行促進パッドに於いて、前記棒状発熱体の周胴面を包むように該棒状発熱体と前記軟質袋体の内周面との間に熱拡散シートが設けられていることを特徴とする携帯型血行促進パッド。
【発明の詳細な説明】
【技術分野】
【０００１】
本発明は携帯型血行促進パッドに関し、特に、温熱作用により座骨神経痛の痛みを緩和するために使用される携帯型血行促進パッドに関する。
【背景技術】
【０００２】
特許文献１は、神経痛、腰痛、関節リウマチ等の痛みを緩和するために使用される治療具である。この治療具は、マイカ式ヒータを２枚のベークライトの基板でサンドイッチにして構成した発熱体を耐熱軟質合成樹脂袋で包み、さらに、前記耐熱軟質合成樹脂袋を断面トラック形状の布製袋で包んだものである。
【０００３】
この治療具は温熱作用により座骨神経痛の痛みを緩和するという発明の課題は本願発明と同様であるものの、発熱体は、平坦状である点、硬い板状のマイカ（雲母）を用いている点、２枚のベークライトも平坦状でかつ硬質である点等から、治療具を畳、カーペット、床等の平坦面に置き、仰向けになって腰に宛がいながら使用した場合に、治療具が腰に馴染み難いという問題点があった。またマイカ（雲母）及びベークライトを用いているので、携帯性に欠けるという問題点もあった。
なお、特許文献２及び特許文献３には、可撓性耐熱絶縁シートを含むリボンヒーターやシリコン絶縁体を含むシリコンテープヒータが記載されている。
【先行技術文献】
【特許文献】
【０００４】
【特許文献１】実開昭５６−９８２１３号公報
【特許文献２】実開平７−７８３９６号公報、
【特許文献３】特開２００９−５４４５６号公報
【発明の概要】
【発明が解決しようとする課題】
【０００５】
本発明の主たる課題は、特許文献１の問題点に鑑み、畳、カーペット、床等の平坦面に置き、仰向けになって腰に宛がいながら使用した場合に、携帯型血行促進パッドが腰に馴染み易いことである。第２の目的は、携帯性及び耐久性に優れていることである。その他の目的は、従属項によって特定される。
【課題を解決するための手段】
【０００６】
本発明の携帯型血行促進パッドは、片手で自由に持ち歩くことができかつ棒状中空部を有する所定長の軟質袋体と、この軟質袋体の棒状中空部に内装された弾性の棒状発熱体と、この棒状発熱体に接続せれ、かつ、自由端部に差し込みプラグを有する電源コードと、前記軟質袋体又は前記電源コードのいずれかに設けられた温度調節手段とを備えた携帯型血行促進パッドであって、前記棒状発熱体は、長手方向と直交する断面形状が、円形、楕円形、半円形、多角形のいずれかである弾性棒体と、この弾性棒体の周胴部に巻き付けるように装着され、かつ、弾性変位可能な発熱部材を備えていることを特徴とする。
【０００７】
上記構成に於いて、前記軟質袋体は、皮革又は合成皮革のいずれかであると共に、棒状発熱体は、少なくとも弾性変位及び弾性復帰可能な弾性棒体と、金属発熱部材と共に軟質のシート状ゴム又は弾性変形可能なシート状シリコンのいずれかである絶縁弾性体を含むことを特徴とする。また棒状発熱体は、少なくとも弾性変位及び弾性復帰可能な弾性棒体、この弾性棒体の周胴面を包む発熱部材とから成り、前記発熱部材は、少なとも略矩形状の耐熱絶縁板と、この耐熱絶縁板の一側上面に設けられた導電体とを有することを特徴とする。また棒状発熱体は、弾性変位及び弾性復帰可能な弾性棒体、この弾性棒体の周胴面を包む発熱部材とから成り、前記発熱部材は、少なとも一側面に一端部から他端部にかけて蛇行状、又は螺旋状、あるいは又マトリックス状のいずれかに設けられた導電体とを有することを特徴とする。また棒状発熱体は、弾性変位及び弾性復帰可能な弾性棒体、この弾性棒体の周胴面を包む発熱部材とから成り、前記発熱部材は、一側上面に形成された帯状凹所を有する略矩形状の耐熱絶縁板と、前記帯状凹所に略収まるように嵌め込まれ、かつ、折り曲げ可能な帯状の導電体とを有することを特徴とする。
【発明の効果】
【０００８】
（ａ）請求項１に記載の発明は、畳、カーペット、床等の平坦面に置き、仰向けになって腰に宛がいながら使用した場合に、携帯型血行促進パッドが腰に馴染み易い。また所定長の軟質袋体及び棒状発熱体は軽いので、携帯性及び耐久性に優れている。
（ｂ）請求項２に記載の発明は、棒状発熱体は、少なくとも弾性変位及び弾性復帰可能な弾性棒体と、金属発熱部材と共に軟質のシート状ゴム又は弾性変形可能なシート状シリコンのいずれかである絶縁弾性体を含むので、略均一に加熱することができると共に、使用時に腰に馴染み易い。
（ｃ）請求項３乃至請求項５に記載の各発明も、前（ａ）の効果を得ることができる。
（ｄ）請求項６に記載の発明は、棒状発熱体の熱を軟質袋体の周胴部に均等に伝えることができる。
【図面の簡単な説明】
【０００９】
図１乃至図７は本発明の第１実施形態を示す各説明図。図８及び図９は本発明の第２実施形態を示す各説明図。図１０は本発明の第３実施形態他の実施形態を示す説明図。
【図１】第１実施形態の全体の構成を示す説明図。
【図２】図１の２−２線概略断面説明図。
【図３】図１に於いて、軟質袋体から棒状発熱体を取り出した状態の概略説明図（電源コード等は省略）。
【図４】棒状発熱体の分解斜視図。
【図５】発熱部材の概略断面説明図（広義のヒータ基体）。
【図６】人が仰向けに携帯型血行促進パッドに寝転がった説明図。
【図７】図６に於いて、携帯型血行促進パッドがなじんだ状態に弾性変位した状態の拡大説明図。
【図８】第２施形態の図１と同様の説明図。
【図９】図８の９−９線断面図（棒状発熱体の断面）。
【図１０】第３施形態の全体の構成を示す説明図。
【図１１】軟質袋体の断面形状を示す他の実施形態であり、（ａ）は楕円形、（ｂ）  は半円形、（ｃ）多角形である。
【発明を実施するための形態】
【００１０】
図１乃至図７は本発明の第１実施形態である。Ｘは携帯型血行促進パッドで、この携帯型血行促進パッドＸ（以下、「パッドＸ」という）は、坐骨神経痛、膝や肘の関節痛などの神経痛の緩和を図るために、いわば血行を促進する健康具あるいは腰痛等の治療具として用いられる。好ましくはパッドＸを畳、カーペット、床等の平坦面に置き、仰向けになって腰に宛がいながら使用し、坐骨神経痛の緩和を図る。
【００１１】
図１は第１実施形態のパッドＸの全体構成を示す説明図、図２は図１の２−２線概略断面説明図、図３は図１に於いて軟質袋体１から棒状発熱体３を取り出した状態の概略説明図である。
【００１２】
これらの図から明らかなように、パッドＸは、棒状中空部２を有する所定長の軟質袋体１と、この軟質袋体１の棒状中空部２に内装された弾性の棒状発熱体３と、この棒状発熱体３に基端部４ａが一体的又は取り外し可能に接続され、かつ、自由端部４ｂに差し込みプラグ５を有する電源コード４と、電源コードに設けられた温度調節手段６とを備えている。
【００１３】
前記軟質袋体１は片手で把持し自由に持ち歩くことができる。図１及び図３で示すように、その外観は全体として略円柱状態のもので、皮革又は合成皮革のいずれかで、棒状中空部２を有する所定長の円柱形状に形成されている。実施形態の軟質袋体１は、左右の両端部１ａ、１ｂが略円形であり、該両端部に連続する筒状周胴部１ｃの適宜箇所には、一端部から他端部にかけて、スライドファスナー、オス・メス系着体などの開閉部材７が設けられている。実施形態では、一対の務歯と該務歯用スライダーと、該スライダーに取り付けられた操作片から成るスライドファスナーが用いられている。もちろん、開閉部材７はこれに限定されるものではなく、複数個のオスとメスのホックでも良い。
【００１４】
ここで、図１を参照にして、温度調節手段６を説明する。温度調節手段６は、例えば焼きそば等を作る際に利用するホットプレート用電源コードの差し込み部に付いているダイヤル式操作ノブを採用している。すなわち、６ａは電源コード４の自由端部４ｂに設けられた任意形状のケース本体で、このケース本体の一側面には温度調節用の操作ノブ６ｂが設けられ、一方、前記一側面とは反対側の他側面には前述した差し込みプラグ５が設けられている。加温スイッチは、前記操作ノブ６ｂを所定方向に回すことにより「ＯＮ」になるように構成しても良いが、実施形態では、電源コード４の基端側に加温スイッチ８が設けられている。
【００１５】
次に、図４を参照にして棒状発熱体３を説明する。図４は棒状発熱体３の分解斜視図である。この図４に於いて、図面左上方に弾性変位及び弾性復帰可能な弾性棒体１１が描かれ、次に発熱部材１２が描かれ、そして、本発明の付随的な構成要件である熱拡散シート１３が図面右下方に描かれている。
【００１６】
ここで「棒状発熱体３」とは広い概念であり、少なくとも弾性棒体１１と発熱部材１２の両方の部材が含まれる。一方、「発熱部材１２」は、前記弾性棒体１１を含まず、少なくとも弾性変位可能なヒータ基体１５が含まれる。第１実施形態では、棒状発熱体３は、後述するヒータ基体１５の一側上面に多少物理的な凹凸状態が存在するような場合に、好ましくは、さらに該棒状発熱体３の発熱部材１２の外周面を包む熱拡散シート１３を有し、該熱拡散シート１３は素材自体により変形自在である。熱拡散シート１３は、例えばアルミニウムシートが用いられている。
【００１７】
図５は発熱部材１２の概略断面説明図である。発熱部材１２は、少なくともベースとなる略矩形状の耐熱絶縁板１２ａと、この耐熱絶縁板１２ａの一側上面に固定的に配列され、かつ、折り曲げ可能な導電体１２ｂとからなる。略矩形状の耐熱絶縁板１２ａの素材は、軟質のシート状ゴム、弾性変形可能なシート状シリコンである。ここでは「狭義のヒータ基体１５」とは、前記耐熱絶縁板１２ａと前記導電体１２ｂとからなるものをいう。したがって、ヒータ基体の全部を包む可撓性絶縁体を含まない。しかしながら、「広義のヒータ基体」は、図５で示すように狭義のヒータ基体１５と、このヒータ基体１５を包む可撓性絶縁体１６とから成る。
【００１８】
さて、折り曲げ可能な導電体１２ｂは、例えば略矩形状の耐熱絶縁板１２ａの一側上面に蛇行状に設けられたもの、又は縦方向の金属発熱線と横方向の金属発熱線をマトリックス状に被覆用耐熱絶縁材で被覆したもの、筒状の被覆用耐熱絶縁材に螺旋状に設けられたものを適宜に採用することができるが、実施形態では、図４及び図５で示すように、その素材がゴムである略矩形状の耐熱絶縁板１２ａの一側上面に蛇行状に設けられた帯状の導電体１２ｂが用いられている。
【００１９】
そして、発熱部材１２は、前述した狭義のヒータ基体１５を用いても良いが、最適な実施形態は狭義のヒータ基体１５に可撓性絶縁体１６が加味された広義のヒータ基体である。広義のヒータ基体を用いれば熱拡散シート１３を用いる必要はない。
なお、帯状の導電体１２ｂは、例えば耐熱ガラス繊維で織り上げられた布の中にヒータを略均一に組み込んだもの、又は複数本の金属発熱線を波状に湾曲させかつ被覆用耐熱絶縁材で被覆したもの等が用いられ、弾性棒体（例えばスポンジ素材）の外周面に容易に巻き付けることができる。
【００２０】
付言すると、狭義のヒータ基体１５又は広義のヒータ基体（１５、１６）のいずれであっても、帯状の導電体１２ｂは、長手方向と直交する断面形状が、円形、楕円形、半円形、多角形のいずれかである弾性棒体１１の周胴部に直接または間接的に巻き付けるように装着することができる弾性変位可能な部材である。したがって、後述するように、軟質袋体１の断面形状も、前記弾性棒体１１の断面形状に対応するように略円形、略楕円形、略半円形、略多角形に形成される。
【００２１】
次に図６は、人が仰向けになってパッドＸ上に寝転がった説明図、図７は図６に於いて、パッドＸがなじんだ状態に弾性変位した状態の拡大説明図である。実施形態のパッドＸは、畳、カーペット、床等の平坦面Ｆに置き、仰向けになって腰に宛がいながら使用し、坐骨神経痛の緩和を図るために用いられる。
【実施例】
【００２２】
この欄では、第１実施形態の設計変更例を簡単に説明する。なお、第１実施形態と同一又は同様の符号を付し、重複する説明を割愛する。
【００２３】
まず、図８及び図９は本発明の第２実施形態を示す各説明図である。この第２実施形態が前記第１実施形態と主に異なる点は耐熱絶縁板１２ａである。この第２実施形態は、狭義のヒータ基体１５の上面が導電体の配列によって凸凹にならないように、いわば電気毛布の如く、手触り感が良くなるようにし、また必ずしも熱拡散シート１３を用いなくてよいようにし、棒状発熱体３Ａの熱が円柱状軟質袋１に十分に伝わることを目的としている。
【００２４】
そのために、棒状発熱体３Ａは、弾性変位及び弾性復帰可能な弾性棒体１１、この弾性棒体の周胴面を包む発熱部材１２Ａとから成り、前記発熱部材１２Ａは、一側上面に形成された帯状凹所１９を有する略矩形状の耐熱絶縁板１２ａと、前記帯状凹所１９に略収まるように嵌め込まれ、かつ、折り曲げ可能な帯状の導電体１２ｂとからなる。
【００２５】
次に図１０は本発明の第３実施形態を示す説明図である。この第３実施形態が前記第１実施形態と主に異なる点は温度調節手段の位置等である。すなわち、温度調節手段６Ａは、円柱状軟質袋体の一端部の外壁面に取付けられたケース本体６ａと、このケース本体の一側面に設けられた温度調節用の操作ノブ６ｂを有し、前記操作ノブ６ｂを回すことにより、加温スイッチが「ＯＮ」になる。このように構成しても第１実施形態と同一の作用・効果がある。
【００２６】
最後に図１１は、軟質袋体１の断面形状を示す他の実施形態であり、（ａ）は楕円形、（ｂ）は半円形、（ｃ）台形、矩形、四角等の多角形の一例である。軟質袋体１の断面形状は、本発明の課題を逸脱しない範囲で任意に設計変更できる事項である。
【産業上の利用可能性】
【００２７】
本発明は、例えば温熱作用により座骨神経痛の痛みを緩和するために使用される携帯型血行促進パッドの分野で利用することができる。
【符号の説明】
【００２８】
Ｘ…携帯型血行促進パッド、
１…軟質袋体、
２…棒状中空部、
３、３Ａ…棒状発熱体、
４…電源コード、
５…差し込みプラグ、
６、６Ａ…温度調節手段、
７…開閉部材、
８…加温スイッチ、
１１…弾性棒体、
１２…発熱部材、
１３…熱拡散シート、
１６…可撓性絶縁体。
【図１】
2020044280.tif 000003
【図２】
2020044280.tif 000004
【図３】
2020044280.tif 000005
【図４】
2020044280.tif 000006
【図５】
2020044280.tif 000007
【図６】
2020044280.tif 000008
【図７】
2020044280.tif 000009
【図８】
2020044280.tif 000010
【図９】
2020044280.tif 000011
【図１０】
2020044280.tif 000012
【図１１】
2020044280.tif 000013